(57)【特許請求の範囲】
【請求項１】
モータに駆動されて回転する出力軸と、
この出力軸に支持され、前記モータが発生する駆動トルクをエンジンのリングギヤに伝達するピニオンギヤと、
前記モータの駆動トルクが前記出力軸を介して前記ピニオンギヤに伝達されるトルク伝達経路に設けられる衝撃吸収装置とを備えるスタータであって、
前記衝撃吸収装置は、軸方向に対向して相互に回転可能に配置される複数のケースと、各ケースの間に配置される複数の弾性体とを有し、前記トルク伝達経路に衝撃が加わった時に、前記複数のケースが互いに相対回転して前記弾性体が周方向に圧縮変形することにより、衝撃の伝達を遅らせながら衝撃値を低減する働きを有し、且つ、軸方向に隣り合う前記ケース同士の間には、径方向の外周に生じる軸方向の隙間を塞ぐシール部材が装着されており、
前記シール部材が装着される前記ケースの外周部には、前記シール部材が径方向の外側へ飛び出すことを防止する突起部が設けられていることを特徴とするスタータ。
【請求項２】
請求項１に記載したスタータにおいて、
前記弾性体と前記シール部材は、共にゴム製であり、且つ、前記シール部材のゴム硬度は、前記弾性体のゴム硬度以下であることを特徴とするスタータ。
【請求項３】
請求項１または２に記載したスタータにおいて、
前記弾性体は、前記ケースに対し径方向の移動が規制された状態で配置され、
前記シール部材は、前記弾性体の径方向の外周面との間に隙間を有した状態で、軸方向に隣り合う前記ケース同士の間に装着されていることを特徴とするスタータ。
【請求項４】
請求項１または２に記載したスタータにおいて、
前記複数のケースは、前記トルク伝達経路の入力側に配置される入力側ケースと、前記トルク伝達経路の出力側に配置される出力側ケースと、両ケースの間に相対回転可能に配置される１個以上の中間ケースとを有し、この中間ケースは、樹脂製であり、且つ、前記突起部が一体に設けられていることを特徴とするスタータ。
【請求項５】
請求項１または２に記載したスタータにおいて、
前記複数のケースは、前記出力軸に係合する第１のケースと、前記ピニオンギヤに係合する第２のケースと、両ケースの間に相対回転可能に配置される１個以上の中間ケースとを有し、この中間ケースは、樹脂製であり、且つ、前記突起部が一体に設けられていることを特徴とするスタータ。
【請求項６】
請求項１〜５に記載した何れかのスタータにおいて、
前記ピニオンギヤは、前記リングギヤに常時噛み合わされていることを特徴とするスタータ。
【請求項７】
請求項６に記載したスタータにおいて、
前記エンジンの停止および再始動を自動制御するエンジン自動停止／再始動システムに用いられることを特徴とするスタータ。
【発明の詳細な説明】
【技術分野】
【０００１】
本発明は、衝撃吸収装置を備えたスタータに関する。
【背景技術】
【０００２】
従来技術として、特許文献１に記載されたスタータが公知である。
このスタータは、図４に示す様に、モータ（図示せず）に駆動されて回転する出力軸１００と、この出力軸１００の外周に軸受１１０を介して嵌合するピニオンギヤ１２０と、出力軸１００とピニオンギヤ１２０との間に設けられる衝撃吸収装置１３０とを備えている。この衝撃吸収装置１３０は、出力軸１００の外周にセレーション嵌合する第１のケース１４０と、ピニオンギヤ１２０と一体に設けられた円筒部の外周にセレーション嵌合する第２のケース１５０と、両ケース１４０、１５０の間に相対回転可能に配置される中間ケース１６０と、各ケース１４０〜１６０の間に挟み込まれるゴムダンパ１７０等より構成され、例えば、クランキング時にエンジン側から衝撃（エンジン側のリングギヤがピニオンギヤ１２０を叩く時に生じる衝撃）を受けた時に、ゴムダンパ１７０が周方向に圧縮変形することにより、衝撃の伝達を遅らせながら衝撃値を低減する働きを有している。
【特許文献１】特開２００６−２０７５７３号公報
【発明の開示】
【発明が解決しようとする課題】
【０００３】
ところで、上記の衝撃吸収装置１３０は、衝撃を受けた時に、ゴムダンパ１７０が周方向に押圧されて圧縮し、その後、弾性力により復元する。このゴムダンパ１７０が圧縮と復元とを繰り返すことにより、ゴムダンパ１７０と各ケース１４０、１５０、１６０との間に摩擦が生じるため、その摩擦を低減するために、両者の接触面に潤滑用グリースが塗布されている。
しかし、スタータのピニオンギヤ１２０と、エンジン側のリングギヤとが配置されるエンジンケース内が密閉されていない場合は、例えば、車両の冠水等により、外部から大量の泥水やダスト等が衝撃吸収装置１３０の内部（ケース内部のゴムダンパ１７０が配置されている部分）まで侵入する恐れがある。
【０００４】
特に、図４に示される衝撃吸収装置１３０は、第１のケース１４０と中間ケース１６０との間、及び、中間ケース１６０と第２のケース１５０との間にそれぞれ隙間を有しているため、これらの隙間から衝撃吸収装置１３０の内部に侵入した泥水やダスト等にグリースの油分が吸収される。また、遠心力により油分が飛散して外部に流出する恐れもある。その結果、ゴムダンパ１７０と各ケース１４０、１５０、１６０との間の摩擦係数が上昇し、ゴムダンパ１７０の表面のむしれ、及び、亀裂等が早期に発生することにより、衝撃吸収性能が低下することが予想される。
【０００５】
また、エンジンオイルやＬＬＣ（不凍液）等、他の油が侵入した場合には、ゴムダンパ１７０の膨潤、性状変化の恐れもあるため、経時変化による不具合が心配される。
本発明は、上記事情に基づいて成されたもので、その目的は、スタータに使用される衝撃吸収装置の内部に外部からの泥水、ダスト、オイル等が侵入することを防止することにより、衝撃吸収性能を安定化させることにある。
【課題を解決するための手段】
【０００６】
（請求項１の発明）
本発明のスタータは、モータに駆動されて回転する出力軸と、この出力軸に支持され、モータが発生する駆動トルクをエンジンのリングギヤに伝達するピニオンギヤと、モータの駆動トルクが出力軸を介してピニオンギヤに伝達されるトルク伝達経路に設けられる衝撃吸収装置とを備えるスタータであって、衝撃吸収装置は、軸方向に対向して相互に回転可能に配置される複数のケースと、各ケースの間に配置される複数の弾性体とを有し、トルク伝達経路に衝撃が加わった時に、複数のケースが互いに相対回転して弾性体が周方向に圧縮変形することにより、衝撃の伝達を遅らせながら衝撃値を低減する働きを有し、且つ、軸方向に隣り合うケース同士の間には、径方向の外周に生じる軸方向の隙間を塞ぐシール部材が装着されており、このシール部材が装着されるケースの外周部には、シール部材が径方向の外側へ飛び出すことを防止する突起部が設けられていることを特徴とする。
【０００７】
上記の構成によれば、各ケースの間に生じる隙間をシール部材により塞いでいるので、外部から泥水、ダスト、エンジンオイル等の異物が衝撃吸収装置の内部（特に、弾性体が配置されているケースの内部）へ侵入することを防止できる。これにより、ダスト等にグリースの油分が吸収されることはなく、また、遠心力によるグリースの油分の飛散も防止できるので、弾性体とケースとの潤滑を良好に保つことができ、両者間の摩擦係数が急激に上昇することもなく安定化できる。その結果、弾性体の損傷を抑制でき、衝撃吸収性能を安定化させることができる。
また、シール部材が装着されるケースの外周部には、シール部材が径方向の外側へ飛び出すことを防止する突起部が設けられているので、シール部材に遠心力が働いた時に、ケースの突起部によってシール部材が径方向の外側へ飛び出すことを防いで、シール性能を維持できる。
【０００８】
（請求項２の発明）
請求項１に記載したスタータにおいて、弾性体とシール部材は、共にゴム製であり、且つ、シール部材のゴム硬度は、弾性体のゴム硬度以下であることを特徴とする。
本発明の衝撃吸収装置は、軸方向に隣合うケース同士の隙間にシール部材を装着しているので、このシール部材のゴム硬度が弾性体のゴム硬度より大きいと、弾性体の衝撃吸収性能に影響を生じる。つまり、衝撃を受けた時に弾性体が撓む量が少なくなる、言い換えると、弾性体のバネ定数が高くなった場合と同様の結果を生じる。
従って、シール部材のゴム硬度を弾性体のゴム硬度以下にすることで、弾性体の衝撃吸収性能を確保できる。
【００１０】
（請求項３の発明）
請求項１または２に記載したスタータにおいて、弾性体は、ケースに対し径方向の移動が規制された状態で配置され、シール部材は、弾性体の径方向の外周面との間に隙間を有した状態で、軸方向に隣り合うケース同士の間に装着されていることを特徴とする。
この場合、シール部材が弾性体に接触することはないので、シール部材が弾性体の動き（圧縮及び復元）に影響を与えることはなく、安定した衝撃吸収性能を確保できる。
【００１１】
（請求項４の発明）
請求項１または２に記載したスタータにおいて、複数のケースは、トルク伝達経路の入力側に配置される入力側ケースと、トルク伝達経路の出力側に配置される出力側ケースと、両ケースの間に相対回転可能に配置される１個以上の中間ケースとを有し、この中間ケースは、樹脂製であり、且つ、突起部が一体に設けられていることを特徴とする。
樹脂製の中間ケースに突起部を設ける場合、金型による成形によって突起部を容易に形成でき、且つ、突起部の形状変更も容易である。
【００１２】
（請求項５の発明）
請求項１または２に記載したスタータにおいて、複数のケースは、出力軸に係合する第１のケースと、ピニオンギヤに係合する第２のケースと、両ケースの間に相対回転可能に配置される１個以上の中間ケースとを有し、この中間ケースは、樹脂製であり、且つ、突起部が一体に設けられていることを特徴とする。
樹脂製の中間ケースに突起部を設ける場合、金型による成形によって突起部を容易に形成でき、且つ、突起部の形状変更も容易である。
【００１３】
（請求項６の発明）
請求項１〜５に記載した何れかのスタータにおいて、ピニオンギヤは、リングギヤに常時噛み合わされていることを特徴とする。
スタータのピニオンギヤがエンジン側のリングギヤに常時噛み合っている場合は、エンジン始動時に生じる衝撃、つまり、クランキング時のエンジン回転変動によってリングギヤがピニオンギヤを叩くことにより生じる衝撃だけでなく、エンジンが逆回転した時、例えば、エンジンが停止する際に生じるクランク軸の揺動による逆回転、あるいは、登板路でのエンストにより車両が後退する時にエンジンが逆回転すると、その逆回転がリングギヤに常時噛み合うピニオンギヤに衝撃として伝達される。このため、ピニオンギヤがリングギヤに常時噛み合う方式のスタータでは、エンジン側から受ける衝撃を吸収するために衝撃吸収装置が大きな働きを有している。
【００１４】
（請求項７の発明）
請求項６に記載したスタータにおいて、エンジンの停止および再始動を自動制御するエンジン自動停止／再始動システムに用いられることを特徴とする。
エンジン自動停止／再始動システム（一般に、アイドルストップシステム、エコランシステム等とも呼ばれる）は、例えば、交差点や渋滞等で車両が一旦停止した時に、エンジンを自動停止させ、その後、運転者により所定の発進操作が行われた時に、エンジンを自動的に再始動させるもので、車両の燃費向上あるいは排気エミッションの改善に効果がある。このエンジン自動停止／再始動システムを搭載する車両では、同システムを搭載しない車両と比較して、必然的にエンジンの始動回数、つまりスタータの始動回数が大幅に増加する。
【００１５】
ところで、エンジン始動時（クランキング時）には、ユーザにとって不快な騒音（リングギヤがピニオンギヤを叩く時の叩き音）が衝撃と共に発生する。このため、上記システムを搭載する車両では、エンジン再始動の度に不快な騒音及び衝撃が発生することになる。これに対し、本発明のスタータは、エンジン始動時に発生する衝撃や不快な騒音を衝撃吸収装置によって低減できるので、始動回数の多いエンジン自動停止／再始動システムに用いることにより、ユーザの不快感を低減できる効果がある。
【発明を実施するための最良の形態】
【００１６】
本発明を実施するための最良の形態を以下の実施例により詳細に説明する。ただし、実施例１は、本発明が適用されていない参考例を示すものであり、実施例２は、本発明が適用された例を示す。
【実施例１】
【００１７】
図１は衝撃吸収装置１０の半断面図であり、図２はスタータ１の半断面図である。
実施例１に係るスタータ１は、図２に示す様に、内蔵する電機子３に回転力を発生するモータ２と、バッテリ（図示せず）から電機子３に通電するためのモータ回路に設けられるメイン接点（後述する）を開閉する電磁リレー４と、電機子３の逆回転を防止する逆転防止用クラッチ５と、電機子３の回転を減速する減速機６と、この減速機６を介してモータ２の駆動トルクが伝達される出力軸７と、この出力軸７の外周に軸受８を介して嵌合するピニオンギヤ９と、出力軸７とピニオンギヤ９との間に設けられる衝撃吸収装置１０等より構成される。本実施例のスタータ１は、エンジンの停止および再始動を自動制御するエンジン自動停止／再始動システムに用いることができる。
【００１８】
モータ２は、電機子３の回転を出力する電機子軸１１の一端側（図示右側）に整流子１２が設けられ、この整流子１２の外周に配置されるブラシ１３を介して電機子３に通電される周知の整流子電動機であり、磁気回路を形成するヨーク１４の内周に永久磁石１５（界磁コイルでも良い）を配置している。電機子軸１１は、整流子１２より突き出る一端側の端部が、軸受１６を介してエンドフレーム１７に回転自在に支持され、反整流子側（他端側）の端部が、出力軸７の端部に形成された空洞部の内周に軸受１８（図１参照）を介して相対回転可能に挿入されている。
エンドフレーム１７は、ヨーク１４のエンド側（図示右側）の開口部に嵌合して組み付けられ、複数本のスルーボルト（図示せず）をスタータハウジング１９に締め付けて固定されている。
【００１９】
電磁リレー４は、電磁コイル２０とプランジャ２１とを内蔵するソレノイドと、このソレノイドに固定される樹脂製の接点カバー２２とを有し、この接点カバー２２の内部にメイン接点が配置される。
ソレノイドは、電磁コイル２０への通電により電磁石を形成してプランジャ２１を吸引する周知の働きを有し、このプランジャ２１の動きに連動してメイン接点を閉操作する。  また、電磁コイル２０への通電が停止して電磁石の吸引力が消滅すると、リターンスプリング２３（図２参照）に蓄えられた反力により、プランジャ２１が図示左方向へ押し戻されてメイン接点を開操作する。
【００２０】
メイン接点は、Ｂ端子ボルト２４を介してモータ回路の高電位側（バッテリ側）に接続されるＢ固定接点２５と、Ｍ端子ボルト２６を介してモータ回路の低電位側（モータ２側）に接続されるＭ固定接点２７と、プランジャ２１と一体に可動して両固定接点２５、２７間を断続する可動接点２８とで形成され、この可動接点２８が両固定接点２５、２７に当接して両固定接点２５、２７間が導通することによりメイン接点が閉状態となり、可動接点２８が両固定接点２５、２７から離れて両固定接点２５、２７間の導通が遮断されることによりメイン接点が開状態となる。
【００２１】
Ｂ端子ボルト２４とＭ端子ボルト２６は、それぞれ、接点カバー２２に固定され、この接点カバー２２より軸方向（図示右方向）に突き出るＢ端子ボルト２４の先端側にバッテリケーブル（図示せず）のターミナルが接続され、同様に、接点カバー２２より軸方向に突き出るＭ端子ボルト２６の先端側にモータリード線２９のターミナルが接続される。なお、モータリード線２９の反ターミナル側は、モータ２のヨーク１４とエンドフレーム１７との間に挟持されるグロメット３０を通ってモータ２の内部に引き込まれ、正極側のブラシ１３に接続されている。
【００２２】
逆転防止用クラッチ（以下クラッチ５と呼ぶ）は、電機子軸１１の一部に設けられたインナ３１と、このインナ３１の外周面との間に複数のカム室（図示せず）を形成するアウタ３２と、カム室に配設されるローラ３３等より構成される。
アウタ３２は、径方向の外側へ延びるアウタ壁部３２ａを有し、このアウタ壁部３２ａの外周部が、軸方向に位置決めされ、且つ、スタータハウジング１９に対し回転規制されている。カム室は、電機子軸１１の反回転方向に向かって、ローラ３３を収納する空間が次第に狭くなるくさび状に形成されている。
【００２３】
ローラ３３は、図示しないスプリングによってカム室の空間が狭くなる狭小方向（電機子軸１１の反回転方向）へ付勢され、インナ３１とアウタ３２との間でトルクの伝達を断続する働きを有する。  
このクラッチ５は、エンジンに逆回転が生じた時に、その逆回転が減速機６を介して電機子軸１１に伝達されると、ローラ３３がカム室の狭小方向へ移動してインナ３１とアウタ３２との間にロックされることにより、電機子軸１１の逆回転が阻止される。
一方、スタータ１によりエンジンを駆動する時は、電機子軸１１の回転方向であるカム室の反狭小方向（空間が広くなる方向）へローラ３３が移動して空転することにより、電機子軸１１の回転を許容する。
【００２４】
減速機６は、電機子軸１１と同軸上で減速できる遊星歯車減速機であり、電機子軸１１の反整流子側に形成された太陽歯車３４と、下記のトルクリミッタを介して回転規制される内歯歯車３５と、両歯車３４、３５に噛み合う複数の遊星歯車３６（図１参照）とで構成され、この遊星歯車３６の公転運動が出力軸７に伝達される。
トルクリミッタは、図１に示す様に、センタケース３７と固定ディスク３８との間に摩擦力によって回転規制される回転ディスク３９を有し、この回転ディスク３９の滑りトルクを超える過大トルクが内歯歯車３５に加わると、回転ディスク３９が摩擦力に抗して滑る（回転する）ことにより、内歯歯車３５の回転が許容されて、過大トルクの伝達を遮断する。
【００２５】
センタケース３７は、スタータハウジング１９の内部に出力軸７と直交して配置され、スタータハウジング１９の内周に設けられた段差に当接して軸方向に位置決めされると共に、スタータハウジング１９に対し回転規制されている。
出力軸７は、図２に示す様に、電機子軸１１と同一軸線上に配置されると共に、反モータ側の端部が軸受４０を介してスタータハウジング１９の先端部に回転自在に支持され、モータ２側の端部が減速機６に連結され、且つ、センタケース３７に軸受４１（図１参照）を介して回転自在に支持されている。
ピニオンギヤ９は、エンジン側のリングギヤ４２（図２参照）に常時噛み合わされ、且つ、以下に説明する衝撃吸収装置１０を介して出力軸７に連結されている。
【００２６】
次に、衝撃吸収装置１０について図１を基に説明する。
この衝撃吸収装置１０は、入力側ケースまたは第１のケースを形成するリングドライブ４３と、出力側ケースまたは第２のケースを形成するリングドライブ４４と、中間ケースを形成するリングスペース４５と、リングドライブ４３とリングスペース４５との間、および、リングスペース４５とリングドライブ４４との間に組み込まれる複数個のゴムダンパ４６と、軸方向に隣り合うケース同士の間に装着されるシール部材をなすＯリング４７等より構成される。
【００２７】
リングドライブ４３は、径方向の中央部に円筒状のボス部４３ａが設けられ、このボス部４３ａが出力軸７の外周にセレーション嵌合して、出力軸７に対し相対回転不能に連結されている。
リングドライブ４４は、リングドライブ４３と同様に、径方向の中央部に円筒状のボス部４４ａが設けられ、このボス部４４ａが、ピニオンギヤ９と一体に設けられた円筒部９ａの外周にセレーション嵌合して、ピニオンギヤ９に対し相対回転不能に連結されている。
リングスペース４５は、リングドライブ４３に設けられたボス部４３ａの外周に回転可能に嵌合して、リングドライブ４３とリングドライブ４４との間に配置される。
【００２８】
軸方向に対向するリングドライブ４３とリングスペース４５との間、および、リングスペース４５とリングドライブ４４との間には、それぞれ、周方向に複数ヶ所（例えば、３カ所）のダンパスペース（図示せず）が形成され、各ダンパスペースにゴムダンパ４６が１個ずつ、合計６個収納されている。
また、衝撃吸収装置１０の内部には、ゴムダンパ４６の摩擦による消耗、表面のむしれ、亀裂等を抑制するために、ゴムダンパ４６の表面、ゴムダンパ４６に接触するリングドライブ４３、リングスペース４５、および、リングドライブ４４の各表面等に潤滑用のグリースが塗布されている。なお、リングドライブ４３とリングドライブ４４は、トルク伝達に必要な強度を確保するために、それぞれ、金属製（例えば、鉄製）であり、リングスペース４５は、例えば、軽量化に寄与できる樹脂製である。
【００２９】
軸方向に隣り合うリングドライブ４３とリングスペース４５、および、リングスペース４５とリングドライブ４４は、それぞれ、両者の間にゴムダンパ４６を組み込んだ状態で、軸方向に所定の間隔を保って配置される。つまり、エンジン側から衝撃が伝達されてゴムダンパ４６が周方向に撓む（圧縮変形する）際に、リングドライブ４３とリングスペース４５、および、リングスペース４５とリングドライブ４４とが互いに摩擦接触しない様に、軸方向に所定の隙間が確保されている。
また、リングドライブ４３とリングスペース４５との間、および、リングスペース４５とリングドライブ４４との間には、それぞれ、径方向の外周に生じる軸方向の隙間を塞ぐために、ゴム製のＯリング４７が装着されている。但し、Ｏリング４７のゴム硬度は、ゴムダンパ４６の硬度以下に設定されている。一例として、Ｏリング４７のゴム硬度：Ｈｓ６０±１０、ゴムダンパ４６の硬度：Ｈｓ８０±５である。
【００３０】
次に、スタータ１の作動を説明する。
電磁リレー４によりモータ回路のメイン接点が閉操作されると、バッテリから電機子３に給電されて電機子３に回転力を発生する。電機子３の回転は、減速機６で減速されて出力軸７に伝わり、更に、出力軸７から衝撃吸収装置１０を介してピニオンギヤ９に伝達され、このピニオンギヤ９の回転がリングギヤ４２に伝達されて、エンジンをクランキングする。
エンジンが完爆してエンジン回転数がスタータ回転数を上回ると、例えば、リングギヤ４２に内蔵された一方向クラッチ（図示せず）が空転して、エンジンのクランク軸とリングギヤ４２との間でトルクの伝達が遮断されるため、エンジンの回転がピニオンギヤ９に伝達されることはなく、電機子３のオーバランを防止できる。
【００３１】
また、エンジンが逆回転した場合、例えば、エンジンが停止する際に生じるクランク軸の揺動による逆回転、あるいは、登板路でのエンストにより車両が後退する時にエンジンが逆回転した時は、リングギヤ４２に内蔵された一方向クラッチが結合状態となる。このため、ピニオンギヤ９がリングギヤ４２に常時噛み合っているスタータ１では、エンジンの逆回転がリングギヤ４２からピニオンギヤ９に伝達される。これに対し、本実施例のスタータ１は、電機子３の逆回転を防止できる逆転防止用クラッチ５を備えているので、エンジンの逆回転がスタータ１に入力れた場合でも、電機子３の逆回転を防止できる。
【００３２】
上記の作動において、衝撃吸収装置１０は、エンジン側からスタータ１が衝撃を受けた時（例えば、クランキング時にリングギヤ４２がピニオンギヤ９を叩くことにより生じる衝撃、あるいは、上記のエンジンが逆回転した時に生じる衝撃等）に、リングスペース４５を介してリングドライブ４３とリングドライブ４４とが相対回転しながら、ゴムダンパ４６が周方向に撓む（圧縮変形する）ことにより、衝撃の伝達を遅らせながら衝撃値を低減する働きを有する。
また、トルクリミッタは、衝撃吸収装置１０で吸収しきれない過大な衝撃、つまり、トルクリミッタの設定トルク（回転ディスク３９の滑りトルク）を超える過大な衝撃が出力軸７に伝達された時に、回転ディスク３９が摩擦力に抗して滑ることにより、衝撃力の伝達を遮断する働きを有する。これにより、スタータ１のトルク伝達経路に過大な衝撃が加わることはなく、エンジン側から受ける衝撃による損傷を回避できる。
【００３３】
（実施例１の効果）
本実施例のスタータ１に使用される衝撃吸収装置１０は、リングドライブ４３とリングスペース４５との間、および、リングスペース４５とリングドライブ４４との間に生じる軸方向の隙間にＯリング４７が装着されている。これにより、外部から泥水、ダスト、エンジンオイル等の異物が衝撃吸収装置１０の内部（特に、ゴムダンパ４６が配置されている部分）へ侵入することを防止できる。その結果、ダスト等にグリースの油分が吸収されることはなく、また、遠心力によりグリースの油分が飛散することも防止できるので、ゴムダンパ４６表面の潤滑を良好に保つことができ、且つ、ゴムダンパ４６とリングドライブ４３およびリングドライブ４４との間の摩擦係数を安定化できるので、ゴムダンパ４６の損傷（例えば、ゴムダンパ４６の表面のむしれ、亀裂等）を防止できる。
また、Ｏリング４７は、ゴムダンパ４６よりゴム硬度が小さいので、エンジン側から衝撃を受けた時に、ゴムダンパ４６の動き（圧縮と復元）に影響を生じることは殆どなく、安定した衝撃吸収性能を確保できる。
【実施例２】
【００３４】
図３は衝撃吸収装置１０のシール部位を拡大した断面図である。
この実施例２に係る衝撃吸収装置１０は、図３に示す様に、リングスペース４５の外周壁の軸方向両側にそれぞれ突起部４５ａを設けた一例である。この突起部４５ａは、Ｏリング４７のリングスペース４５側の外周を保持できる様に、Ｏリング４７側へ傾斜した状態で突き出ている。あるいは、Ｏリング４７の外周形状に沿って湾曲した形状に設けても良い。これにより、Ｏリング４７は、リングドライブ４３とリングスペース４５との間、および、リングスペース４５とリングドライブ４４との間に、それぞれ、軸方向に挟み込まれるだけでなく、突起部４５ａによって外周の一部が保持されるので、遠心力でＯリング４７が隙間から外側へ張り出す、あるいは飛び出すことを防止できる。
また、突起部４５ａを設けられるリングスペース４５は、樹脂製であるため、金型による成形によって突起部４５ａを容易に形成でき、且つ、突起部４５ａの形状変更も容易である。但し、金属製であるリングドライブ４３およびリングドライブ４４に突起部を設けることもできる。
【００３５】
さらに、本実施例のＯリング４７は、ゴムダンパ４６と接触することはなく、図３に示す様に、Ｏリング４７の内周（内径）とゴムダンパ４６の外周面との間に隙間Ｃが確保されている。つまり、ゴムダンパ４６は、リングスペース４５に対し径方向の移動が規制された状態で配置されているので、そのゴムダンパ４６の外周面との間に隙間Ｃを確保できるだけの内径を有するＯリング４７が使用される。また、Ｏリング４７の最大圧縮時、つまり、Ｏリング４７が軸方向に圧縮されて、Ｏリング４７の内周がゴムダンパ４６側へ押し出された場合でも、ゴムダンパ４６にＯリング４７が押圧されることが無い様に、Ｏリング４７の最大圧縮時でもＣ≧０となる様に、隙間Ｃを確保することが望ましい。これにより、ゴムダンパ４６にＯリング４７が殆ど接触することはないので、エンジン側から衝撃が伝達された時に、Ｏリング４７がゴムダンパ４６の動き（圧縮及び復元）に影響を与えることはなく、安定した衝撃吸収性能を確保できる。
【００３６】
（変形例）
実施例１に記載した衝撃吸収装置１０では、弾性体としてゴムダンパ４６を用いているが、ゴムダンパ４６以外の弾性体（例えば、ねじりコイルバネ、弾性を有する樹脂材等）を使用することもできる。
実施例１及び実施例２に記載した衝撃吸収装置１０は、リングドライブ４３とリングドライブ４４との間に、リングスペース４５を介してゴムダンパ４６を直列二段（合計６個）に配置しているが、リングスペース４５の数を増やして、ゴムダンパ４６を直列三段以上に配置しても良い。あるいは、リングスペース４５を廃止して、リングドライブ４３とリングドライブ４４との間にゴムダンパ４６を配置しても良い。この場合、リングドライブ４３とリングドライブ４４との軸方向の隙間にシール部材としてＯリング４７を装着することは言うまでもない。
また、実施例１では、衝撃吸収装置１０を出力軸７とピニオンギヤ９との間に設けているが、この位置に限定されるものではなく、スタータ１のトルク伝達経路（モータ２の駆動トルクが出力軸７を介してピニオンギヤ９に伝達される経路）に有れば良い。
【図面の簡単な説明】
【００３７】
【図１】衝撃吸収装置の半断面図である（実施例１）。
【図２】スタータの断面図である（実施例１）。
【図３】衝撃吸収装置のシール部位を拡大した断面図である（実施例２）。
【図４】従来技術を示す衝撃吸収装置の半断面図である。
【符号の説明】
【００３８】
１    スタータ
２    モータ
７    出力軸
９    ピニオンギヤ
１０    衝撃吸収装置
３９    回転ディスク
４２    リングギヤ
４３    リングドライブ（入力側ケース、第１のケース）
４４    リングドライブ（出力側ケース、第２のケース）
４５    リングスペース（中間ケース）
４５ａ  突起部
４６    ゴムダンパ（弾性体）
４７    Ｏリング（シール部材）
Ｃ    Ｏリングとゴムダンパとの間の隙間
【図１】
0004831035.tif 000002
【図２】
0004831035.tif 000003
【図３】
0004831035.tif 000004
【図４】
0004831035.tif 000005